(57)【要約】本発明は流動媒体、例えば空気、水若しくはその他の流体のための多重弁装置に関し、複数の弁の流体回路を最小の構造スペースで形成するために、多重弁装置が、外側の２つの通路プレート（１３，１５）と該プレート間に位置する中間の１つのシールプレート（１４）とによって形成されたサンドイッチ構造の積層ユニット（１２）、及び該積層ユニット（１２）を取り囲むケーシング（１１）から成っている。通路プレート（１３，１５）の、シールプレート（１４）に向いた前側のプレート面（１３１、１５１）に、シールプレート（１４）によって覆われた流路（１６）が形成されており、かつ通路プレート（１３，１５）の背面に、前記流路（１６）と接続された入口及び出口開口（１７、１８）が配置されている。
2005517133.tif 000002
【特許請求の範囲】
【請求項１】
空気、水若しくはその他の流体のような流動媒体のための多重弁装置において、外側の２つの通路プレート（１３，１５）と、該プレート間に位置する中間の１つのシールプレート（１４）とによって形成されたサンドイッチ構造の積層ユニット（１２）、及び該積層ユニット（１２）を取り囲むケーシング（１１）から成っており、通路プレート（１３，１５）の、シールプレート（１４）に向いた前側のプレート面（１３１、１５１）に、シールプレート（１４）によって覆われた流路（１６）が形成されており、かつ通路プレート（１３，１５）の、シールプレート（１４）と逆の後ろ側のプレート面（１３２，１５２）に、弁のための、前記流路（１６）と接続された入口及び出口開口（１７、１８）が配置されていることを特徴とする、流体媒体のための多重弁装置。
【請求項２】
通路プレート（１３，１５）の後ろ側のプレート面（１３２，１５２）に、通路プレート（１３，１５）とケーシング（１１）との間のシール作用を生ぜしめるシール部材（１９）が配置されている請求項１記載の多重弁装置。
【請求項３】
流路（１６）が、通路プレート（１３，１５）に成形された溝（１６１）として形成されており、該溝が側方を、隆起したシールエッジ（１６２）によって制限されている請求項１又は２記載の多重弁装置。
【請求項４】
シールプレート（１４）に、両方の通路プレート（１３，１５）の所定の流路（１６）を互いに接続する貫通開口（２０）が設けられている請求項１から３のいずれか１項記載の多重弁装置。
【請求項５】
ケーシング（１１）が二部構造であって、２つのケーシング半部（１１１，１１２）によって構成されており、各ケーシング半部がそれぞれ１つの通路プレート（１３，１５）のシール部材（１９）に載着されており、かつケーシング半部（１１１，１１２）が載着方向に向けて互いに締め付けられている請求項２から４のいずれか１項記載の多重弁装置。
【請求項６】
締め付けが、形状係合的な係止手段によって行われている請求項５記載の多重弁装置。
【請求項７】
係止手段が、ケーシング半部（１１１，１１２）間をケーシング長手方向に延びるスライドファスナとして形成されている請求項６記載の多重弁装置。
【請求項８】
ケーシング半部（１１１，１１２）の両方の縦側に、ウエブ（２１，２２）から成る歯列が互いに向き合わせて形成されており、一方のケーシング半部（１１１，１１２）のウエブ（２１，２２）が、他方のケーシング半部（１１２，１１１）のウエブ（２２，１２１）間の間隙に形状係合するように押し込み可能であり、一方のケーシング半部（１１１）のウエブ（２１）が他方のケーシング半部（１１２）のウエブ（２２）に係止されている請求項７記載の多重弁装置。
【請求項９】
ウエブ間の係止が、互いにかみ合う両方の歯列を介してケーシング長手方向に案内されたくさび締め付け結合部材（２５）によって行われており、該くさび締め付け結合部材が両側の傾斜部（２５１）で、歯列のウエブ（２１，２２）に形成された対応するくさび面（２３，２４）に係合している請求項８記載の多重弁装置。
【請求項１０】
ケーシング半部（１１１，１１２）に、通路プレート（１３，１５）の後ろ側のプレート面（１３２，１５２）に形成された入口開口及び／又は出口開口（１７，１８）と協働する弁部材の作動のためのアクチュエータ（１０）が配置されている請求項５から９のいずれか１項記載の多重弁装置。
【請求項１１】
少なくとも一方のケーシング半部（１１１，１１２）にセンサ（２７）を配置してあり、該センサが、入口開口若しくは出口開口（１７，１８）内へ突入する検出子によって流動媒体を検出するようになっている請求項５から１０のいずれか１項記載の多重弁装置。
【発明の詳細な説明】
【技術分野】
【０００１】
本発明は、空気、水若しくはその他の流体のような流動媒体のための多重弁装置に関する。
【０００２】
背景技術
この種の多重弁装置は、別個の圧力導管を用いることなしに弁を相互に流動技術的に接続するために役立っている。この場合、弁通路をエラストマ内に形成してかつシールプレートによって密閉することが公知である。エラストマとシールプレートとの結合が、ねじによって行われる。エラストマの後ろ側にマグネット弁を配置してあり、該マグネット弁が貫通孔を介して通路に接続されている。
【０００３】
発明の効果
請求項１に記載の特徴を有する本発明に基づく多重弁装置においては利点として、複数の弁の流体回路が最小の構造スペースで形成される。弁の接続のための通路横断面が大きく形成でき、それというのは公知のエラストマとは異なる剛性的な通路プレートが、密着性を得るためのシールプレートの圧着に際して変形しないからである。流体回路の必要に応じて変更する際に多くの場合、プレート積層ユニットの３つのプレートのうちの１つだけを交換するだけでよい。多層・通路構造を可能にするサンドイッチ構造（積層構造）によって、弁の流体回路の極めて複雑な回路構成が可能であり、流路回路の食い違い配置（立体交差配置）も可能である。本発明に基づく多重弁装置は特に製作しやすく、かつ修理しやすく、従って経済的である。
【０００４】
従属請求項に記載の手段によって、請求項１に記載の多重弁装置の有利な改善が可能である。
【０００５】
本発明の有利な実施態様では、シールプレートに、両方の通路プレートの選ばれた所定の流路を互いに接続する貫通孔が設けられている。このような構造的な手段によって、上側の通路プレートの通路と下側の通路プレートの通路との間の任意の接続、ひいては弁間の任意の接続が簡単に実現できる。
【０００６】
本発明の有利な有利な実施態様では、通路プレートの、弁のための入口及び出口開口を備えた後ろ側のプレート面がシール部材を有しており、該シール部材が通路プレートとケーシングとの間のシール作用を生ぜしめるようになっている。従って、ケーシング内へプレート積層ユニットをはめ込んで、かつケーシングとプレート積層ユニットとの間に最小の圧着力を生ぜしめることによって、入口及び出口開口とケーシング内の弁との間のシール作用が、組み立てに際して保証される。
【０００７】
本発明の有利な実施態様では、ケーシングが二部構造で２つのケーシング半部から構成されており、各ケーシング半部がそれぞれ１つの通路プレートのシール部材に載着されており、かつ両方のケーシング半部が、プレート積層ユニットに圧着力を加えることによって互いに締め付けられている。締め付けが、形状係合的な係止手段によって行われており、係止手段が、ケーシング半部間をケーシング長手方向に延びるスライドファスナとして形成されている。このような構造的な手段によって、プレート積層ユニット全体にわたる面圧の均一な分配が達成され、その結果、通路プレートのすべてのシール部材及びシールエッジに均一な圧着力が生ぜしめるられる。
【０００８】
本発明の有利な実施態様では、両方のケーシング半部の両方の縦側に、ウエブを互いに向き合わせて歯列状に形成してあり、一方のケーシング半部のウエブが、他方のケーシング半部のウエブ間の間隙に形状係合的に押し込み可能である。ケーシング半部の係止が、互いにかみ合う両方のウエブ列を介してケーシング長手方向に案内されたくさび締め付け結合部材によって行われ、該くさび締め付け結合部材が両側の傾斜部で、歯列のウエブに形成された対応するくさび部の下側に係合する、即ちくさび面に係合するようになっている。両方のケーシング半部間のこのようなくさび締め付け結合は、製作誤差の補償を可能にして、すべてのシール面への均一な圧力分配を保証する。
【０００９】
発明を実施するための最良の形態
図１に、流れる一般的な媒体、例えば空気、水若しくは油圧オイル等のための多重弁装置を代表する例として分解状態で示す空気多重弁装置は、空気用の全体で９つの弁（空気弁）を備えており、この場合に弁は任意の数で設けられるものである。弁は、図面を見易くするために、弁の操作に用いられるアクチュエータ１０のみを図示してある。アクチュエータ１０は空気圧式のもの若しくは電磁式のものであってよい。個々の弁の、アクチュエータ１０によって操作される弁部材は図示を省略してある。
【００１０】
多重弁装置のケーシング１１が２つのケーシング半部１１１，１１２から構成されている。各ケーシング半部１１１，１１２に、所定の数の空気用の弁（空気弁）が組み込まれている。図１の実施例において上側のケーシング半部１１２には５つの弁が組み込まれ、かつ弁操作のための５つのアクチュエータ１０が設けられており、下側のケーシング半部１１１には４つの弁が設けられている。ケーシング１１には各弁に対してそれぞれ１つの弁接続部２８が設けられている。さらにすべての弁に対する共通の１つの供給路のためにケーシング１１に設けられた接続部は、図１には示されていない。
【００１１】
ケーシング１１内に、互いに重ねられた３つのプレート１３，１４，１５から成る積層ユニット（サンドイッチ構造体）１２を受容してある。積層ユニット１２は外側の２つの通路プレート１３，１５及び、これらの間に位置する中間の１つのシールプレート１４を有している。通路プレート１３，１５の、シールプレート１４に向いた、即ち前側のプレート面１３１，１５１に流路１６を形成してあり、シールプレート１４と逆の側、即ち後ろ側のプレート面１３２，１５２に弁のための入口及び出口開口１７，１８を形成しかつシール部材１９を配置してあり、該シール部材が通路プレート１３，１５とケーシング半部１１１，１１２との間のシール作用を生ぜしめている。入口及び出口開口１７，１８がそれぞれ、通路プレート１３，１５の孔２６を介して流路１６の１つに接続されていて、かつ弁の弁部材によって開閉されるようになっている。図１では、流路１６が下側の通路プレート１３にのみ見え、入口及び出口開口１７，１８並びにシール部材１９が上側の通路プレート１５にのみ見える。上側の通路プレート１５のための図２の横断面図、並びに下側の通路プレート１３のための図３の横断面図では、流路１６及びシール部材１９が拡大して示されている。図面に明確に示してあるように、流路１６が通路プレート１３，１５内に加工成形された溝１６１として形成されており、該溝が側方を、隆起したシールエッジ１６２によって制限されている。流路１６の幾何学形状は任意に構成されていてよく、この場合に注意すべきことは、同じ通路プレート１３若しくは１５内の流路１６が互いに連通して（つながって）いないことである。中間のシールプレート１４に貫通開口２０を設けてあり、該貫通開口が有利には孔として形成されている。貫通開口２０はシールプレート１４内で、下側の通路プレート１３内の所定の流路１６と上側の通路プレート１５内の所定の流路１６とを互いに接続すべき箇所に配置されている。
【００１２】
通路プレート１３〜１５を積層ユニット１２に組み立てた後に、両方のケーシング半部１１１，１１２が下方若しくは上方から通路プレート１３，１５に被せ嵌められて、通路プレート１３，１５の後ろ側のプレート面１３２，１５２上のシール部材１９に載着される。両方のケーシング半部１１１，１１２を互いに締め付けることによって、下側のケーシング半部１１１が下側の通路プレート１３のシール部材１９に圧着され、上側のケーシング半部１１２が上側の通路プレート１５のシール部材１９に圧着され、かつシールプレート１４が両方の通路プレート１３，１５のシールエッジ１６２に圧着されて、すべてのシール面上でシール作用を保証する均一な圧力配分が達成される。
【００１３】
両方のケーシング半部１１１，１１２の締め付けが、形状係合的な係止手段、例えばケーシング１１の各側部をケーシング長手方向、即ち縦方向に延びるスライドファスナー若しくはジッパーによって行われる。このために、各ケーシング半部１１１，１１２の両方の縦側に、ウエブ２１，２２から成る歯列を互いに向き合わせて形成してあり、下側のケーシング半部１１１のウエブ（務歯若しくはレッグ）２１が、上側のケーシング半部１１２のウエブ２２間の間隙内に押し込まれて形状係合される。下側のケーシング半部１１１の両方の歯列（ウエブ列）のウエブ２１にはその自由端の近傍に、突出したくさび面２３が一体成形されている。同形のくさび面２４が、上側のケーシング半部１１２の両方の歯列のウエブ２２の自由端の近傍に設けられており、この場合、両方のくさび面２３，２４が、歯列を互いにかみ合わせた場合に、互いに向き合っていてかつ離間しているように配置されている。両方のケーシング半部１１１，１１２を互いに圧着した（これによって、くさび面２３，２４間の間隔がいくらか広げられた）状態で、ケーシング１１の各側部にくさび締め付け結合部材２５を差し嵌めて装着する。くさび締め付け結合部材２５が両方の長手方向縁部に、くさび面２３，２４に適合された傾斜部２５１を有している。くさび締め付け結合部材２５は傾斜部２５１をウエブ２１，２２のくさび面２３，２４に沿って差し込まれ、これによって傾斜部（傾斜面）２５１が交互に、一方のウエブ２１のくさび面２３と他方のウエブ２２のくさび面２４とに接触して、両方のケーシング半部１１１，１１２を互いに係止することによって積層ユニット１２に作用する圧力を生ぜしめる。
【００１４】
前述の多重弁装置内には、流動媒体、本実施例では空気の検出のためのセンサを取り付けることも可能である。この種のセンサによって流動媒体の例えば温度、粘性或いはその他のパラメータが検出されてよい。１つのセンサを１つの弁の代わりに使用する場合には、該センサが１つのアクチュエータ１０の箇所でケーシング１１に配置される。この場合にはセンサの検出子が、対応する入口開口１７若しくは出口開口１８内に差し込まれて、流動媒体と接触させられる。センサ２７が、図１で下側のケーシング半部１１１内に配置されている。
【図面の簡単な説明】
【００１５】
【図１】本発明に基づく多重弁装置の実施例の分解図斜視図
【図２】図１のＩＩ−ＩＩ線に沿った断面図
【図３】図１のＩＩＩ−ＩＩＩ線に沿った断面図
【符号の説明】
【００１６】
１０  アクチュエータ、  １２  積層ユニット、  １１  ケーシング、  １３  通路プレート、  １４  シールプレート、  １５  通路プレート、  １６  流路、  １７，１８  入口及び出口開口、  １９  シール部材、  ２０  貫通開口、  ２１，２２  ウエブ、  ２３，２４  くさび面、  ２５  くさび締め付け結合部材、  １３２  プレート面、  １６１  溝、  ２５１  傾斜部
【図１】
2005517133.tif 000003
【図２】
2005517133.tif 000004
【図３】
2005517133.tif 000005
【国際調査報告】
2005517133.tif 000006
2005517133.tif 000007
2005517133.tif 000008
2005517133.tif 000009
2005517133.tif 000010
2005517133.tif 000011